(57)【特許請求の範囲】
【請求項１】
フィットネスモニターであって、
ハウジングを有するモジュールであって、当該ハウジングは、側面と、第１の厚さとを有するものである、前記モジュールと、
利用者の手首の周りに装着されるように構成された単一体のリストバンドであって、前記ハウジングを受容するように構成されたハウジング受容構造を有するものである、前記単一体のリストバンドと
を有し、
前記ハウジング受容構造および前記ハウジングの組み合わせは第２の厚さを有し、
前記第２の厚さは、前記第１の厚さと等しいものであり、
前記ハウジングの各側面において前記ハウジング受容構造の内部に固定されていない部分は露出しているものであり、
前記ハウジングは複数の凹部を画成し、前記ハウジング受容構造は複数の突出部を画成するものであり、前記突出部の各々は、前記ハウジングが前記ハウジング受容構造と整合したとき、各凹部と嵌合して前記ハウジング受容構造内部での前記ハウジングの動きを制限するように構成されるものであり、
前記複数の突出部は、少なくとも１つの側方突出部と少なくとも１つの垂直突出部とを有し、前記複数の凹部は、少なくとも１つの側方凹部と少なくとも１つの垂直凹部とを有し、前記少なくとも１つの側方突出部は、位置合わせされたとき前記少なくとも１つの側方凹部と嵌合するように構成され、前記少なくとも１つの垂直突出部は、位置合わせされたとき前記少なくとも１つの垂直凹部と嵌合するように構成されるものである、
フィットネスモニター。
【請求項２】
請求項１記載のフィットネスモニターにおいて、前記ハウジングは第１の幅を有し、前記ハウジング受容構造および前記ハウジングの組み合わせは第２の幅を有し、この第２の幅は前記第１の幅と等しいものである、フィットネスモニター。
【請求項３】
請求項１記載のフィットネスモニターにおいて、前記ハウジング受容構造の外面は、当該ハウジング受容構造の断面外形に対して画成される略曲線状の表面を画成し、この略曲線状の表面は、側方突出部と垂直突出部との間に延在するものである、フィットネスモニター。
【請求項４】
請求項１記載のフィットネスモニターにおいて、前記ハウジングは上部と下部とを有し、当該フィットネスモニターが利用者の手首の周りに装着されたとき、前記下部は利用者の手首に対して近位にあり、前記上部は利用者の手首に対して遠位にあり、前記上部は上部高さを有し、前記下部は下部高さを有し、前記第１の厚さは、前記上部高さの高さおよび前記下部高さの高さに等しいものである、フィットネスモニター。
【請求項５】
請求項１記載のフィットネスモニターにおいて、前記モジュールは電子機器モジュールを有し、当該電子機器モジュールは、
運動を検出し、当該検出された運動に基づいて運動データを生成するように構成されたモーションセンサーと、
前記モーションセンサーにより検出された前記運動データを格納するように構成されたメモリ装置と、
前記メモリ装置に連結され、前記メモリ装置に格納された前記運動データに基づいて活動データを決定するように構成されたプロセッサと
を含むものである、フィットネスモニター。
【請求項６】
請求項５記載のフィットネスモニターにおいて、前記電子機器モジュールは、利用者に関連付けられた活動データに関連付けられた情報を提示するように構成されたディスプレイを含み、当該ディスプレイは、前記電子機器モジュールの前記ハウジングが前記ハウジング受容構造に受容されたとき、前記ハウジング受容構造の表面と同一平面上にあるレンズを含むものである、フィットネスモニター。
【請求項７】
フィットネスモニター用のリストバンドであって、
電子機器モジュールを受容するように構成された単一体のリストバンドを有し、前記電子機器モジュールは、側面と、第１の幅および第１の厚さとを有するハウジングを有するものであり、
前記単一体のリストバンドは、前記ハウジングを受容するように構成されたハウジング受容構造を有し、
前記ハウジングの各側面において前記ハウジング受容構造の内部に固定されていない部分は露出しているものであり、
前記ハウジング受容構造および前記ハウジングの組み合わせは第２の幅および第２の厚さを有し、前記第２の幅は前記第１の幅と等しく、前記第２の厚さは前記第１の厚さと等しいものであり、
前記ハウジング受容構造は複数の突出部を含み、前記ハウジングは複数の凹部を画成するものであり、各突出部は、前記ハウジングが前記ハウジング受容構造と整合したとき、各凹部と嵌合して前記ハウジング受容構造内部での前記ハウジングの動きを制限するように構成されるものであり、
前記複数の突出部は、少なくとも１つの側方突出部と少なくとも１つの垂直突出部とを有し、前記複数の凹部は、少なくとも１つの側方凹部と少なくとも１つの垂直凹部とを有し、前記少なくとも１つの側方突出部は、位置合わせされたとき前記少なくとも１つの側方凹部と嵌合するように構成され、前記少なくとも１つの垂直突出部は、位置合わせされたとき前記少なくとも１つの垂直凹部と嵌合するように構成されるものである、
リストバンド。
【請求項８】
請求項７記載のリストバンドにおいて、前記ハウジング受容構造の外面は、当該ハウジング受容構造の断面外形に対して画成される略曲線状の表面を画成し、この略曲線状の表面は、側方突出部と垂直突出部との間に延在するものである、リストバンド。
【請求項９】
請求項７記載のリストバンドにおいて、前記電子機器モジュールは、利用者に関連付けられた活動データを追跡するように構成された電子機器モジュールを有するものである、リストバンド。
【請求項１０】
請求項９記載のリストバンドにおいて、前記電子機器モジュールは、前記活動データに関連付けられた情報を提示するように構成されたディスプレイを含み、当該ディスプレイは、前記ハウジング受容構造の表面と同一平面上にあるレンズを含むものである、リストバンド。
【請求項１１】
フィットネスモニターであって、
ハウジングを有するモジュールであって、当該ハウジングは、２つの側面と、第１の厚さとを有するものである、前記モジュールと、
前記ハウジングを受容するように構成され、かつ前記ハウジングの各側面の第１の部分をその内部に固定するように形成されたハウジング受容構造を含む単一体のリストバンドと
を有し、
前記ハウジング受容構造および前記ハウジングの組み合わせは第２の厚さを有し、前記第２の厚さは、前記第１の厚さと等しいものであり、
前記ハウジングの各側面において前記ハウジング受容構造の内部に固定されていない第２の部分は露出しているものであり、
前記ハウジング受容構造は複数の突出部を含み、前記ハウジングは複数の凹部を画成するものであり、前記突出部の各々は、前記ハウジングが前記ハウジング受容構造と整合したとき、各前記凹部と嵌合して前記ハウジング受容構造内部での前記ハウジングの動きを制限するように構成されているものであり、
前記複数の突出部は、少なくとも１つの側方突出部と少なくとも１つの垂直突出部とを有し、前記複数の凹部は、少なくとも１つの側方凹部と少なくとも１つの垂直凹部とを有し、前記少なくとも１つの側方突出部は、位置合わせされたとき前記少なくとも１つの側方凹部と嵌合するように構成され、前記少なくとも１つの垂直突出部は、位置合わせされたとき前記少なくとも１つの垂直凹部と嵌合するように構成されるものである、
フィットネスモニター。
【請求項１２】
請求項１１記載のフィットネスモニターにおいて、前記ハウジングは第１の幅を有し、前記ハウジング受容構造および前記ハウジングの組み合わせは第２の幅を有し、この第２の幅は前記第１の幅と等しいものである、フィットネスモニター。
【請求項１３】
請求項１１記載のフィットネスモニターにおいて、前記ハウジングは上部と下部とを有し、当該フィットネスモニターが利用者の手首の周りに装着されたとき、前記下部は利用者の手首に対して近位にあり、前記上部は利用者の手首に対して遠位にあり、前記上部は上部高さを有し、前記下部は下部高さを有し、前記第１の厚さは、前記上部高さの高さおよび前記下部高さの高さに等しいものである、フィットネスモニター。
【請求項１４】
請求項１１記載のフィットネスモニターにおいて、前記ハウジング受容構造の外面は、当該ハウジング受容構造の断面外形に対して画成される略曲線状の表面を画成し、この略曲線状の表面は、側方突出部と垂直突出部との間に延在するものである、フィットネスモニター。
【請求項１５】
請求項１１記載のフィットネスモニターにおいて、前記モジュールは電子機器モジュールを有し、当該電子機器モジュールは、
運動を検出し、当該検出された運動に基づいて運動データを生成するように構成されたモーションセンサーと、
前記モーションセンサーに連結され、前記運動データを格納するように構成されたメモリ装置と、
前記メモリ装置に連結され、前記運動データに基づいて活動データを決定するように構成されたプロセッサと、
前記活動データに関連付けられた情報を提示するように構成されたディスプレイであって、前記ハウジング受容構造の表面と同一平面上であるレンズを含むものである、前記ディスプレイと
を含むものである、フィットネスモニター。
【請求項１６】
請求項１１記載のフィットネスモニターにおいて、前記ハウジングに画成された前記少なくとも１つの垂直凹部は、前記ハウジングの側面の内側面に垂直方向に延びるように形成された凹部である、フィットネスモニター。
【請求項１７】
請求項１６記載のフィットネスモニターにおいて、前記少なくとも１つの垂直凹部は、前記ハウジング受容構造の内部に固定された前記ハウジングの側面の前記第１の部分と前記ハウジングの側面の前記第２の部分との接触位置に沿って形成されるものである、フィットネスモニター。
【請求項１８】
請求項１３記載のフィットネスモニターにおいて、前記ハウジングの上部は前記ハウジングの各側面の前記第１の部分を含み、前記ハウジングの下部は前記ハウジングの各側面の前記第２の部分を含むものである、フィットネスモニター。
【発明の詳細な説明】
【背景技術】
【０００１】
フィットネスモニターは、利用者の活動を追跡する電子装置であり、前記追跡は、通常、利用者の歩数を決定するなどにより、利用者の運動を検出して行う。フィットネスモニター、例えばＧａｒｍｉｎ  ＶｉｖｏＦｉｔウェルネス製品は、利用者が装着することにより、利用者の身体的活動を監視（例えば、測定または検出）でき、前記身体的活動に関連付けられた情報を前記ウェルネス製品、例えば心臓モニターなどから受信できる。一部のフィットネスモニターは、利用者の手首、腕部、胴部、脚部などに装着される。他のフィットネスモニターは、携帯され、または衣服に取り付けられる。一部のフィットネスモニターは、付加的な特徴、例えば時刻を提示する時計表示、他の電子装置と無線通信する通信モジュールなどを含む。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００９／０１３８６３６号明細書
（特許文献２）  米国特許出願公開第２００９／０１９６１２４号明細書
（特許文献３）  米国特許出願公開第２００５／０１７７０５１号明細書
（特許文献４）  米国特許出願公開第２０１０／０２９２０５０号明細書
（特許文献５）  米国特許出願公開第２００７／０２７６２７０号明細書
（非特許文献）
（非特許文献１）  Ｐｒｉｎｔｏｕｔ  ｆｒｏｍ  ｈｔｔｐ：／／ｄｅｓｉｇｎｓｈａｃｋ．ｎｅｔ／ｄｅｓｉｇｎ／ｎｉｋｅ−ｓｐｏｒｔ−ｂａｎｄ；  ｐｕｂｌｉｓｈｅｄ  ｐｒｉｏｒ  ｔｏ  ０１／０３／２０１４．
（非特許文献２）  Ｐｒｉｎｔｏｕｔ  ｆｒｏｍ  ｈｔｔｐ：／／ｍａｓｈａｂｌｅ．ｃｏｍ／２０１３／０７／０２／ｆｉｔｂｉｔ−ｆｌｅｘ−ｒｅｖｉｅｗ；  ｐｕｂｌｉｓｈｅｄ  ｐｒｉｏｒ  ｔｏ  ０１／０３／２０１４．
（非特許文献３）  Ｐｒｉｎｔｏｕｔ  ｆｒｏｍ  ｈｔｔｐ：／／ｗｗｗ．ｄｃｒａｉｎｍａｋｅｒ．ｃｏｍ／２０１２／０８／ｎｉｋｅ−ｆｕｅｌｂａｎｄ−ｉｎ−ｄｅｐｔｈ−ｒｅｖｉｅｗ．ｈｔｍｌ；  ｐｕｂｌｉｓｈｅｄ  ｐｒｉｏｒ  ｔｏ  ０１／０３／２０１４．
（非特許文献４）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｆｒｏｍ  ｃｏｒｒｅｓｐｏｎｄｉｎｇ  ＰＣＴ  Ａｐｐｌｉｃａｔｉｏｎ  Ｎｏ．ＰＣＴ／ＵＳ２０１４／０３２５４１  ｄａｔｅｄ  Ａｕｇｕｓｔ  ２１，２０１４．
【発明の概要】
【課題を解決するための手段】
【０００２】
モジュール、例えば電子機器モジュールを受容するよう構成された単一体のリストバンドを有するフィットネスモニターが開示される。１若しくはそれ以上の実施態様において、前記フィットネスモニターは、モジュール、例えば第１の厚さを有するハウジングを含む電子機器モジュールを有する。このフィットネスモニターは、利用者の手首周囲に装着されるよう構成された単一体のリストバンドも有する。前記単一体のリストバンドは、前記モジュールの前記ハウジングを受容するよう構成されたハウジング受容構造を含み、前記ハウジング受容構造および前記ハウジングの組み合わせは第２の厚さを有し、前記第２の厚さは、前記第１の厚さと少なくとも実質的に等しい。諸実施形態において、前記モニターの前記ハウジングは第１の幅をさらに有することができ、前記ハウジング受容構造および前記ハウジングの組み合わせは第２の幅を有することができ、この第２の幅は前記第１の幅と少なくとも実質的に等しい。
【図面の簡単な説明】
【０００３】
以降の詳細な説明では、以下の添付の図面を参照して説明を行っている。これらの図面では、参照番号の最も左の数字（桁）により、その参照番号が初出する図の番号を示している。以降の説明において異なる状況および図で同じ参照番号を使用している場合は、それらが同様な項目または同一の項目であることを示している可能性がある。
【図１】図１は、本開示の一実施態様例に係るフィットネスモニター（フィットネス監視装置）を例示した斜視図である。
【図２】図２は、フィットネスモニターの一例、例えば図１に示したフィットネスモニターの電子機器モジュールの各種構成要素を例示したブロック図である。
【図３】図３は、図１に示したフィットネスモニターの分解斜視図であり、さらに当該フィットネスモニターの電子機器モジュールおよび単一体のリストバンドを例示している。
【図４】図４は、図１に示したフィットネスモニターを例示した斜視図であり、前記単一体のリストバンドを締めていない向きで示している。
【図５】図５は、図１に示したフィットネスモニターの断面図である。
【図６】図６は、本開示の一実施態様例に係る、図１に示したフィットネスモニターの前記電子機器モジュールのハウジングを例示した側面図である。
【図７】図７は、本開示の一実施態様例に係る、図１に示したフィットネスモニターの前記単一体のリストバンドを例示した側面図である。
【図８】図８は、本開示の一実施態様例に係る、図１に示したフィットネスモニターの前記単一体のリストバンドを例示した底面図である。
【発明を実施するための形態】
【０００４】
概要
従来のフィットネスモニターは、モニター（監視装置）が利用者の手首に装着されているとき電子機器モジュールのハウジングの上部および側部を完全に収納するリストバンドを含む。従来のフィットネスモニターでは、装着の際にハウジングが見えないようにするため（例えば、前記ハウジングの上部および側部がカバーされる）、リストバンド内の空洞にハウジングを挿入する必要がある。その結果、従来の構成では、比較的幅広で（例えば、前記フィットネスモニターにより覆われる利用者の手首周りの長さが大きくなる）、比較的厚い（例えば、利用者の手首と比べた前記フィットネスモニターの高さが大きくなる）リストバンドを使用する必要がある。
【０００５】
本開示を実施すると、利用者の活動レベルを追跡するフィットネスモニターであって、ハウジングの上部および／または１若しくはそれ以上の側部を完全に覆わないリストバンドを含むフィットネスモニターが得られる。例えば、リストバンドは、ディスプレイ（表示装置）を含むことが可能なハウジング上部の一部が露出する態様で、前記ハウジングを覆うことができる。前記ハウジングの上部を露出させると、当該モジュールの前記ハウジングより厚くないリストバンドの使用が容易になる。同様に、リストバンドは、ハウジングの１若しくはそれ以上の側部であって、前記リストバンドの長手方向に沿って延在する側部のうち少なくとも一部が露出する態様で、前記ハウジングを覆うことができる。前記リストバンドの長手方向に沿って延在する前記ハウジング側部を露出させると、当該モジュールの前記ハウジングより幅広でないリストバンドの使用が容易になる。そのため、本開示の実施態様に係るフィットネスモニターは、リストバンドが電子機器モジュールのハウジングより厚くも幅広くもならないよう、前記ハウジングの頂面の部分および側面を露出させる単一体のリストバンドを使用する。
【０００６】
１若しくはそれ以上の実施態様において、前記フィットネスモニターは、モジュール、例えば第１の厚さを有するハウジングを含む電子機器モジュールを有する。このフィットネスモニターは、利用者の手首周囲に装着されて当該利用者の手首に前記モジュールを固定するように構成された単一体のリストバンドも有する。この単一体のリストバンドは、前記モジュールの前記ハウジングを受容するように構成されたハウジング受容構造を含み、前記ハウジング受容構造および前記ハウジングの組み合わせは第２の厚さを有する。諸実施態様において、前記第２の厚さは、前記第１の厚さと少なくとも実質的に等しい。
【０００７】
諸実施形態において、前記モジュールは、ディスプレイと、非一時的なメモリ装置と、電池と、プロセッサとを有する電子機器モジュールを有する。前記モジュールのディスプレイは、前記ハウジングの一部、またはこれに連結されたものとすることができ、利用者の活動に関連付けられた情報、例えば利用者の日次活動目標および活動データを提示（例えば、表示）するように構成できる。前記メモリ装置は、前記ハウジング内に位置し、前記日次活動目標および前記活動データを含む利用者の活動情報を格納するように構成される。前記プロセッサは、前記ハウジング内に含まれ、前記メモリ装置およびディスプレイに動作可能に連結される。前記電池は、前記ハウジング内に受容でき、当該ハウジング内の電気的構成要素に供電する。前記ハウジングには、前記ディスプレイの上位に配置されて破片および衝撃から当該ディスプレイを保護するレンズを含めることができる。このレンズは、前記ディスプレイに示されるコンテンツの可視性を保つよう、１若しくはそれ以上の透明材料層で構築できる。
【０００８】
前記フィットネスモニターは、一般に、良好な健康状態およびフィットネスを促進するため、利用者の活動レベルを追跡する。当該フィットネスモニターの前記プロセッサは、日次活動データに基づき、前記利用者の１日の所定の活動レベルに対応する日次活動目標を決定し、第１の期間において利用者に関連付けられた現在の活動と、所定の不活発度値との数学的な差に対応する不活発度レベルを計算することができる。前記フィットネスモニターは、いかなる身体的活動に関連付けられた情報も示すことができる。例えば、フィットネスモニターのモーションセンサーは、当該フィットネスモニターを装着している利用者の水泳（例えば、ストローク数、ストローク長）、スケート（例えば、アイススケート、インラインスケート）、スキー、ローイング、サイクリング、エアロビクス、または他の任意の身体的活動に伴う運動を検出することができる。当該フィットネスモニターは、利用者の心拍数を決定し、心拍数情報に基づいて利用者の活動を決定することができる。諸実施形態において、通信ポートは、利用者の心拍数に関連付けられたデータを受信できる。その心拍数データは、利用者の活動と、日次活動目標に達するまでの活動カウントダウンと、燃焼カロリー数とを決定するため、前記プロセッサにより受信可能である。前記ディスプレイは、利用者に関連付けられた心拍数情報に基づき決定される利用者の活動情報、前記モーションセンサーにより検出された運動、またはこれらの組み合わせを示すよう構成できる。また、前記プロセッサは、前記心拍数情報を使って心拍数の変動を決定できる。当該フィットネスモニターは、心拍数情報、例えば心拍数の変動、ならびに利用者固有の情報、例えば年齢、性別、体重、身長、およびフィットネスクラス（すなわち、全体的な身体的フィットネスレベル）に基づいて、エネルギー消費量を決定することができる。
【０００９】
例示的なフィットネスモニター
図１〜８は、本開示の１若しくはそれ以上の実施態様例によるフィットネスモニター１００を全般的に例示したものである。図示したように、このフィットネスモニター１００は、ハウジング１０２を有するモジュール１０１を含み、前記ハウジング１０２は、前記モジュール１０１の構成要素を少なくとも部分的に収容する。例えば、諸実施形態において、前記モジュール１０１は、構成要素、例えばディスプレイ１０６と、ユーザーインターフェース１０８と、通信ポート１１０と、モーションセンサー１１２と、非一時的なメモリ装置１１４と、プロセッサ１１６と、電池１１８とを含む電子機器モジュールを有することができる。前記ハウジング１０２は、単一体の（例えば、連続した）リストバンド１０４に受容され、これに連結される。
【００１０】
前記ディスプレイ１０６は、一般に利用者の活動に関連付けられた情報を提示する。例えば、前記ディスプレイ１０６は、利用者の日次活動目標および活動データを示すことができる。このディスプレイ１０６は、発光ダイオード（ｌｉｇｈｔ−ｅｍｉｔｔｉｎｇ  ｄｉｏｄｅ：ＬＥＤ）、有機ＬＥＤ（ＯＬＥＤ）、発光ポリマー（Ｌｉｇｈｔ  Ｅｍｉｔｔｉｎｇ  Ｐｏｌｙｍｅｒ：ＬＥＰ）、またはポリマーＬＥＤ（ＰＬＥＤ）、液晶ディスプレイ（ｌｉｑｕｉｄ  ｃｒｙｓｔａｌ  ｄｉｓｐｌａｙ：ＬＣＤ）、薄膜トランジスタ（ｔｈｉｎ  ｆｉｌｍ  ｔｒａｎｓｉｓｔｏｒ：ＴＦＴ）ＬＣＤ、プラズマ、電子ペーパー、電子インク、これらの組み合わせなどの技術で形成でき、またはこれを含むことができる。前記ディスプレイ１０６は、前記ハウジング１０２の上面または外面に連結でき、示すべき情報を前記プロセッサ１１６から受信することができる。
【００１１】
前記ユーザーインターフェース１０８は、一般に、利用者が、前記ディスプレイ１０６に示される情報を選択できるようにし、１若しくはそれ以上の押しボタン、またはタッチ領域、例えばタッチスクリーンなどを含むことができる。例えば、利用者は、前記ユーザーインターフェース１０８をアクティブにして（例えば、ボタンを押して）複数のデータ画面を繰り返し順番に表示させることができ、その場合、各データ画面は情報項目、例えば本明細書で説明するものを含むことができる。諸実施形態において、前記ユーザーインターフェース１０８は、前記ハウジング１０２上、前記ディスプレイ１０６上、またはリストバンド１０４上のいずれかに設置できる。
【００１２】
前記通信ポート１１０は、一般に、利用者が、前記フィットネスモニター１００にデータをアップロードし、当該フィットネスモニター１００からデータをダウンロードし、または当該フィットネスモニター１００の設定を調整できるようにする。この通信ポート１１０は、有線または無線であってよく、アンテナと、信号またはデータを受信する回路と、信号またはデータを送信する回路とを含むことができる。当該通信ポート１１０は、高周波（ｒａｄｉｏ  ｆｒｅｑｕｅｎｃｙ：ＲＦ）信号および／またはデータを送受信でき、通信規格、例えばＡＮＴ、ＡＮＴ＋、Ｂｌｕｅｔｏｏｔｈ（登録商標）低エネルギー（Ｂｌｕｅｔｏｏｔｈ（登録商標）ｌｏｗ  ｅｎｅｒｇｙ：ＢＬＥ）、近距離無線通信（Ｎｅａｒ  Ｆｉｅｌｄ  Ｃｏｍｍｕｎｉｃａｔｉｏｎｓ：ＮＦＣ）などを利用して動作可能である。種々の実施態様において、前記通信ポート１１０は、２．４ギガヘルツ（ＧＨｚ）の産業科学医療用（ｉｎｄｕｓｔｒｉａｌ，  ｓｃｉｅｎｔｉｆｉｃ，  ａｎｄ  ｍｅｄｉｃａｌ：ＩＳＭ）バンドを使ってデータを送受信できる。さらに、一部の実施態様において、当該通信ポート１１０は、デスクトップ、ラップトップ、ノートブック、またはタブレットコンピュータ、あるいは他の電子装置のＵＳＢポートに接続する無線ドングルと通信できる。特定の実施態様において、前記通信ポート１１０は、ｎＲＦ５１９１１２  ＲＦ集積回路（ＩＣ）を含む。
【００１３】
前記フィットネスモニター１００は、当該フィットネスモニター１００と、二次電子装置（例えば、スマートフォン、タブレット、パーソナルコンピュータ）に伴う外部のディスプレイ、プロセッサ、メモリ装置、および／またはユーザーインターフェースとのインタラクションを可能にする入出力インターフェースを備えることができる。諸実施態様では、前記フィットネスモニター１００が、外部のディスプレイおよびユーザーインターフェースを利用してフィットネス情報を示し、またユーザーインターフェース機能を提供することができる。そのため、フィットネス装置１００は、前記ディスプレイ１０６を含まない場合があり、外部ディスプレイを利用してフィットネス情報を示し、ユーザーインターフェース機能を提供するようにすることもできる。他の実施形態において、前記フィットネス装置１００は、当該フィットネス装置１００に含まれる前記ディスプレイ１０６およびユーザーインターフェースの機能を、二次電子装置に伴う外部のディスプレイ、プロセッサ、メモリ装置、および／またはユーザーインターフェースにより補足することができる。例えば、前記フィットネス装置１００は、前記通信ポート１１０を利用して、フィットネスデータ（未処理の、一部処理された、または完全に処理された）を送信することにより、二次電子装置が、ユーザーインターフェースおよび／または視覚的または聴覚的出力機能（当該二次電子装置に伴うディスプレイまたはスピーカーを使って）、処理機能（当該二次電子装置に伴うプロセッサを使って）、またはデータ格納機能（当該二次電子装置に伴うメモリ装置を使って）を提供できるようにすることができる。諸実施態様において、外部構成要素は、本明細書で説明する前記ディスプレイ１０６、前記ユーザーインターフェース１０８、前記メモリ装置１１４、前記モーションセンサー１１２、または前記プロセッサ１１６に伴う任意の機能を実行するよう動作可能である。
【００１４】
前記モーションセンサー１１２は、一般に当該フィットネスモニター１００の動きを検出し、ひいては、当該フィットネスモニター１００を体肢（例えば、手首、腕部、胴部、脚部、足首）に装着し、当該フィットネスモニター１００を携帯し、または当該フィットネスモニター１００を衣服または一般に利用者が身体上に所持する付属品（例えば、鍵、職場のセキュリティバッジ）に取り付けて有している利用者の運動を検出する。当該モーションセンサー１１２は、加速度計、傾斜センサー、傾斜計（インクリノメーター）、ジャイロスコープ、これらの組み合わせ、あるいは圧電型、ピエゾ抵抗型、静電容量型の検出構成要素またはマイクロ電子機械（ＭＥＭＳ）構成要素を含む他の装置を含むことができる。当該モーションセンサー１１２は、１つの運動軸上の運動または複数の運動軸上、例えば３つの直交軸Ｘ、Ｙ、Ｚ上の運動を検出できる。特定の実施態様において、当該モーションセンサー１１２は、Ａｎａｌｏｇ  Ｄｅｖｉｃｅｓ社（米国マサチューセッツ州Ｎｏｒｗｏｏｄ）のＡＤＸＬ３６２  ３軸加速度計を有する。前記モーションセンサー１１２は、一般に、運動データを前記プロセッサ１１６に通信する。当該モーションセンサー１１２が運動データを通信する率は、約５０ヘルツ（Ｈｚ）から約１００ヘルツ（１００Ｈｚ）までと、場合により異なる。
【００１５】
前記メモリ装置１１４は、一般に、日次活動目標および活動データに関する情報を格納し、非一時的な構成要素、例えば読み出し専用メモリ（ＲＯＭ）、プログラマブルＲＯＭ、消去可能プログラマブルＲＯＭ、ランダムアクセスメモリ（ＲＡＭ）、キャッシュメモリなど、またはこれらの組み合わせを含むことができる。このメモリ装置１１４は、命令、コード、コードセグメント、ソフトウェア、ファームウェア、プログラム、アプリケーション、アプリ、サービス、デーモンなどを格納できる。当該フィットネスモニター１００の諸実施形態において、このメモリ装置１１４は、リムーバブルＩＣＣ（Ｉｎｔｅｇｒａｔｅｄ  Ｃｉｒｃｕｉｔ  Ｃａｒｄ：集積回路カード）メモリ、例えばＳＩＭ（Ｓｕｂｓｃｒｉｂｅｒ  Ｉｄｅｎｔｉｔｙ  Ｍｏｄｕｌｅ：加入者識別モジュール）カード、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ：汎用加入者識別モジュール）カード、ＵＩＣＣ（Ｕｎｉｖｅｒｓａｌ  Ｉｎｔｅｇｒａｔｅｄ  Ｃｉｒｃｕｉｔ  Ｃａｒｄｓ：汎用集積回路カード）カードなどにより提供されるものを含むことができる。
【００１６】
前記プロセッサ１１６は、一般に、不活発度レベルを決定し、日次活動目標が満たされたかどうかを決定する。このプロセッサ１１６は、前記モーションセンサー１１２により生成される前記運動データに基づき、利用者の活動データを決定するように構成することもできる。前記プロセッサ１１６には、プロセッサ、マイクロプロセッサ、マイクロコントローラ、デジタル信号プロセッサ（ｄｉｇｉｔａｌ  ｓｉｇｎａｌ  ｐｒｏｃｅｓｓｏｒｓ：ＤＳＰｓ）、フィールド・プログラマブル・ゲート・アレイ（ｆｉｅｌｄ−ｐｒｏｇｒａｍｍａｂｌｅ  ｇａｔｅ  ａｒｒａｙｓ：ＦＰＧＡｓ）、アナログおよび／またはデジタル式の特定用途向け集積回路（ｄｉｇｉｔａｌ  ａｐｐｌｉｃａｔｉｏｎ−ｓｐｅｃｉｆｉｃ  ｉｎｔｅｇｒａｔｅｄ  ｃｉｒｃｕｉｔｓ：ＡＳＩＣｓ）など、またはこれらの組み合わせを含めることができる。特定の実施態様において、前記プロセッサ１１６は、ＡＲＭ  Ｈｏｌｄｉｎｇｓ（イギリスＣａｍｂｒｉｄｇｅ）がライセンス供与する３２ビットＣｏｒｔｅｘ  Ｍ０プロセッサを有する。種々の実施態様において、前記Ｃｏｒｔｅｘ  Ｍ０プロセッサは、前記通信ポート１１０のｎＲＦ５１９１１２  ＲＦＩＣとともにパッケージ化される。前記プロセッサ１１６は、振動子または周期信号発生器をさらに含み、またはこれと通信可能にでき、これにより時刻を導出することができる。このプロセッサ１１６は、一般に、命令、コード、コードセグメント、ソフトウェア、ファームウェア、プログラム、アプリケーション、アプリ、工程、サービス、デーモンなどを実行し、処理し、または動作させることができ、または有限オートマトンの状態を進めることができる。このプロセッサ１１６は、アドレスバス、データバス、制御線などを通じて前記メモリ装置１１４と通信することができる。さらに、このプロセッサ１１６は、前記ディスプレイ１０６にデータを送信し、前記モーションセンサー１１２および前記ユーザーインターフェース１０８からデータを受信し、前記通信ポート１１０との間でデータを送受信することができる。
【００１７】
諸実施態様において、前記モジュール１０１は、前記モニター１００の現在の位置を決定する位置決定構成要素を含むことができる。前記位置決定構成要素には、グローバルポジショニングシステム（ｇｌｏｂａｌ  ｐｏｓｉｔｉｏｎｉｎｇ  ｓｙｓｔｅｍ：ＧＰＳ）受信機、衛星航法受信機（例えば、ＧＬＯＮＡＳＳ）、携帯電話信号受信機、ＲＦ三角測量プロセッサ、拡張測位システム、例えばリアルタイムキネマティック（ｒｅａｌ  ｔｉｍｅ  ｋｉｎｅｍａｔｉｃ：ＲＴＫ）、またはこれらの組み合わせを含めることができる。前記位置決定構成要素は、前記ハウジング１０２の現在位置をプロセッサ１１６に供給することができる。
【００１８】
当該フィットネスモニター１００の厚さは、その構成要素の寸法、例えば前記モジュール１０１の前記ハウジング１０２および前記単一体のリストバンド１０４の高さに左右される。前記リストバンド１０４は、図１に見られるように、一般に、当該フィットネスモニター１００を利用者の手首に装着可能にする。利用者がこのリストバンド１０４を手首に装着すると、当該フィットネスモニター１００は腕時計のように見える場合がある。ただし、諸実施態様において、このリストバンド１０４は、当該フィットネスモニター１００をクリップとして、利用者の他の身体部分（例えば、腕部、胴部、脚部、足首など）または利用者の衣服（例えば、シャツ、ベルト、靴）に装着（固定）するように変更できる。
【００１９】
前記単一体のリストバンド１０４により、フィットネス装置の外観および快適さが向上する。諸実施形態において、このリストバンド１０４は、利用者が長時間当該フィットネスモニター１００を装着できるよう、可撓性の（例えば、しなやかな、および／または伸縮性の）材料から形成できる。このリストバンド１０４には、当該リストバンド１０４の長さ調節を可能にする複数の穴１２０とそれに対応する１若しくはそれ以上の連結機構１２２を含めることができる。当該リストバンド１０４は、前記ハウジング１０２の対向しあう端部に連結される。
【００２０】
図３および４に示すように、前記単一体のリストバンド１０４は、実質的に連続した形態を有することができ、当該リストバンド１０４内に一体化されたハウジング受容構造１２４を含むことができる。諸実施形態において、このハウジング受容構造１２４は、前記単一体のリストバンド１０４の切り離せない一部として、その組み合わせが単一のリストバンド１０４を形成するようにでき、前記リストバンド１０４は、利用者の手首の周りに装着され、ハウジング１０２を受容して手首に装着されるフィットネスモニター１００を形成する（すなわち、前記ハウジング１０２が、リストバンド１０４内に一体化された前記ハウジング受容構造１２４に挿入され、前記ハウジング１０２とリストバンド１０４とが一体的に固定されて、手首に装着されるフィットネスモニター１００が形成される）。
【００２１】
前記ハウジング受容構造１２４は、以降さらに詳しく説明する前記モニター１０１の前記ハウジング１０２を受容および固定するように構成される。前記ハウジング１０２は前記ディスプレイ１０６を含み、当該フィットネスモニター１００が装着されているとき、前記ディスプレイ１０６が利用者の手首に背を向けるよう前記ハウジング受容構造内に受容可能である。本開示の１若しくはそれ以上の実施態様において、前記ハウジング１０２および前記ハウジング受容構造１２４の組み合わせの厚さは、前記ハウジング１０２と少なくとも実質的に同じ厚さになる。同様に、一部の実施態様において、前記ハウジング１０２および前記ハウジング受容構造１２４の組み合わせの幅は、前記ハウジング１０２と少なくとも実質的に同じ幅になる。
【００２２】
２つのリストバンドをハウジングと連結する（例えば、２つのリストバンドがハウジングの対向しあう側面に取り付けられる）従来のフィットネスモニターとは異なり、本開示の実施態様は、前記モジュール１０１の前記ハウジング１０２を受容および固定できるハウジング受容構造１２４を有する１つの単一体のリストバンド１０４を利用する。この単一体（ｕｎｉｔａｒｙ）のリストバンド１０４は、利用者の手首周囲に巻き付く単一体（ｓｉｎｇｌｅ−ｂｏｄｙ）の要素である。そのため、２つのバンドを有する従来の手首装着型装置と異なり、本開示のリストバンド１０４は、連続した形態を有することができる。諸実施形態では、図１、３、４、および７に示すように、前記リストバンド１０４を、一方の端部から他方の端部まで中断または間隙なく、単一体の材料で形成できる。
【００２３】
図５および６に示すように、前記モジュール１０１の前記ハウジング１０２は、複数の固定部材、例えばネジなどを使ってに一体的に固定可能な上部１２６および下部１２８を含むことができる。前記上部１２６は、利用者の手首から遠位にある前記ハウジング１０２の一部を有し、前記下部１２８は、利用者の手首から近位にある前記ハウジング１０２の一部を有する。このハウジング１０２は、当該ハウジング１０２の前記上部および下部１２６、１２８を一体的に固定する前記１若しくはそれ以上の固定部材（ネジなど）を隠す態様で前記ハウジング受容構造１２４内に配置できる。前記固定部材を取り外すと、前記ハウジング１０２の内部チャンバーにアクセス（例えば、利用者、保守技術者などが）して、その内部に含まれる構成要素を整備または交換できるようになる。例えば、前記リストバンド１０４の前記上部１２６および前記下部１２８を固定するには、４つのネジを使用できる。それらのネジを取り外すと、利用者は、内部に格納された１若しくはそれ以上の電池１１８（例えば、２つの１６３２コイン形電池）を交換することができる。２若しくはそれ以上の電池１１８を有する実施態様において、前記電池１１８は、前記ハウジング１０２の高さを最小限に抑えるため、積み重ね構成を使用せず、隣り合わせに格納できる。一部の実施態様では、前記ハウジング１０２が環境耐久性（例えば、耐水性、防水性など）を備えるよう、当該ハウジング１０２の前記上部１２６と前記下部１２８との間にシールが施される。例えば、一実施形態において、当該ハウジング１０２は、水深５０メートルまで防水性にできる。
【００２４】
図３および７に示すように、前記ハウジング受容構造１２４には、上方開口部１３０が区画され、この開口部１３０は、前記ハウジング１０２が当該ハウジング受容構造１２４内に実質的に固定されたとき、前記ハウジング１０２に伴うディスプレイ１０６が当該開口部から見えるように形成される。前記上方開口部１３０は、前記ハウジング１０２に伴う前記ディスプレイ１０６を露出させ、または前記ディスプレイ１０６を保護する透明なカバー（例えば、プラスチックの保護用シールド）を含むことができる。また、前記ハウジング受容構造１２４は、前記ハウジング１０２の側面が前記ハウジング受容構造１２４の１若しくはそれ以上の側部から見えるよう成形された１若しくはそれ以上の側方開口部１３２も画成する。図７および８は、リストバンド１０４の一例を示した図であり、前記上方および側方開口部１３０、１３２をより明瞭に例示するため、当該リストバンド１０４に対応してハウジング受容構造１２４内に固定されるハウジング１０２を除いている。
【００２５】
諸実施態様において、前記モジュール１０１の前記ハウジング１０２は、前記リストバンド１０４に着脱自在に連結される。例えば、前記ハウジング１０２を前記ハウジング受容構造１２４に挿入して、前記ハウジング１０２およびリストバンド１０４を一体的に固定し手首装着型フィットネスモニター１００を形成することができる。同様に、諸実施態様において、力を加えて前記ハウジング１０２を当該リストバンド１０４からリリースすることにより前記リストバンド１０４および前記ハウジング１０２を分離することができる。前記リストバンド１０４および前記ハウジング１０２を分離することで、利用者がどちらの構成要素についてもすばやく交換することが可能となる。利用者は、美的目的で前記リストバンド１０４を交換し（例えば、異なる色を有するリストバンドに変更し）、または磨耗または損傷した前記リストバンド１０４を交換することを希望する場合がある。前記モジュール１０１は、同様な態様で取り外し若しくは交換が可能である（例えば、同様な理由で）。
【００２６】
本開示の実施態様は、厚さおよび幅が低減されたフィットネスモニター１００を提供する。厚さおよび幅の寸法を低減すると、最低限のフォームファクタを有する手首装着型フィットネスモニターを使用することに関心がある利用者にとって有益である。従来の手首装着型の腕時計および装置と異なり、図６に示すように、前記フィットネスモニター１００の厚さは、前記ハウジング１０２の前記上部１２６（前記ディスプレイ１０６の上に設けられたレンズ１３５を含む）の高さと、前記下部１２８の高さとにより決定される。諸実施形態において、前記上部１２６および前記下部１２８の寸法は、前記ハウジング１０２内に積み重ねられた構成要素（例えば、前記ディスプレイ１０６、集積回路装置、前記電池１１８など）の高さにより画成される。同様に、当該フィットネスモニター１００の幅は、前記ハウジング１０２内の構成要素の幅（例えば、前記１若しくはそれ以上の円形電池１１８、前記ハウジング受容構造１２４内に前記ハウジング１０２を収容する側方構造の直径）により決定される。
【００２７】
諸実施態様において、当該フィットネスモニター１００の厚さおよび幅は、前記ハウジング１０２の厚さおよび幅と少なくとも実質的に同じであり（例えば、当該厚さおよび幅は、同じであるか、平均的な利用者の認識ではそれより無視できない程度に大きく若しくは小さい）、これは前記ハウジング１０２が前記ハウジング受容構造１２４に実質的に収容されるためである（例えば、前記リストバンド１０４は、当該フィットネスモニター１００の前記ハウジング１０２に厚さまたは幅を加えない）。前記ハウジング１０２の厚さおよび幅を減らすと、それに比例して当該フィットネスモニター１００の厚さおよび幅も低減できるという結果が得られる。
【００２８】
種々の技術を使用すると、フィットネスモニターの第１の要素、例えばハウジング１０２を、当該フィットネスモニターの第２の要素、例えばハウジング受容構造１２４と整合させることができる。例えば、諸実施態様において、前記ハウジング１０２は、前記ハウジング受容構造１２４とかみ合わせ、これに伴わせ、連結させ、取り付け、固定し、連結し、整合し、または固定することができる。図５に示した実施形態において、前記リストバンド１０４は、前記開口部に沿って（例えば、前記ハウジング受容構造１２４内に）１若しくはそれ以上の突出部を含むことができ、その場合、前記モジュール１０１の前記ハウジング１０２は、当該ハウジング１０２が前記リストバンド１０４の前記ハウジング受容構造１２４と整合した際に配置される。諸実施態様において、突出部は、位置合わせ用に配置すると前記ハウジング１０２の凹部と連結し若しくはかみ合う連続したリッジ（例えば、チャネル（溝））または自立型タブとすることができる。例えば、前記ハウジング１０２および前記ハウジング受容構造１２４が位置合わせされると、連続したリッジは連続したチャネル（またはグルーブ（溝））に連結し、自立型タブはスロットに連結する。図５に示したように、本開示の実施態様は、前記ハウジング受容構造１２４内に画成される４つの連続した突出部１３４Ａ、１３４Ｂ、１３４Ｃ、１３４Ｄを有するリストバンド１０４を含み、前記ハウジング受容構造１２４内には、４つの連続した凹部１３６Ａ、１３６Ｂ、１３６Ｃ、１３６Ｄを伴うハウジング１０２が受容される（前記突出部および凹部は、位置合わせされるよう配置されると、互いにかみ合う）。
【００２９】
上記に示したように、前記ハウジング受容構造１２４は、垂直平面内に延出した連続した突出部１３４Ａ、１３４Ｂと、側方平面内に連続した突出部１３４Ｃ、１３４Ｄとを含むことができる。前記のハウジング１０２の前記連続した凹部領域１３６Ａ、１３６Ｂ、１３６Ｃ、１３６Ｄも、垂直および側方平面内に存在させることができ、これにより前記突出部１３４Ａ、１３４Ｂ、１３４Ｃ、１３４Ｄと、それに対応する凹部１３６Ａ、１３６Ｂ、１３６Ｃ、１３６Ｄとは、位置合わせされるとかみ合う。かみ合わせとは、各前記突出部および凹部が位置合わせされた場合、各々の突出部が、各々の凹部により生じる空間を占めることをいう。例えば、前記側方平面内の前記リストバンド突出部１３４Ｃ、１３４Ｄは、前記側方平面内のハウジング凹部１３６Ｃ、１３６Ｄとかみ合い、前記リストバンド突出部１３４Ａ、１３４Ｂは、前記垂直平面内でハウジング凹部１３６Ａ、１３６Ｂとかみ合う。前記垂直および側方平面は、前記ディスプレイ１０６の表面１３３により画成される平面に対し画成できる。例えば、前記垂直方向の突出部１３４Ａ、１３４Ｂおよび前記垂直方向の凹部１３６Ａ、１３６Ｂは、前記ディスプレイ１０６の前記表面１３３により画成される平面に略直交する平面内に画成され、前記水平方向の突出部１３４Ｃ、１３４Ｄおよび前記水平方向の凹部１３６Ｃ、１３６Ｄは、前記ディスプレイ１０６の前記表面１３３により画成される平面に略平行な平面内に画成されることが可能である。
【００３０】
この構成は、前記のハウジング１０２の前記連続した凹部領域１３６Ａ、１３６Ｂ、１３６Ｃ、１３６Ｄが、前記リストバンド１０４内で、前記ハウジング受容構造１２４の前記連続した突出部１３４Ａ、１３４Ｂ、１３４Ｃ、１３４Ｄに位置合わせされたとき、前記垂直および側方向の制約を生む。前記側方平面内の前記リストバンド突出部１３４Ｃ、１３４Ｄは、前記側方平面内の各ハウジング凹部１３６Ｃ、１３６Ｄとかみ合ったとき、前記ハウジング１０２の上下の動きを制限するよう作用する。同様に、前記垂直平面内の前記リストバンド突出部１３４Ａ、１３４Ｂは、前記垂直平面内の各ハウジング凹部１３６Ａ、１３６Ｂとかみ合ったとき、前記ハウジング１０２の側方向（例えば、横方向）の動きを制限するよう作用する。
【００３１】
諸実施態様において、前記ハウジング１０２と、前記リストバンド１０４内の前記ハウジング受容構造１２４とは、可撓性材料（例えば、ゴムおよびプラスチックの混合物）で構築でき、これにより、上述のかみ合わせにより生じる動きへの抵抗より大きな垂直方向および／または横方向の力を前記ハウジング１０２および／または前記リストバンド１０４にかけると、前記ハウジング１０２を、前記リストバンド１０４の前記ハウジング受容構造１２４から分離できる（または取り外せる）ようになる。
【００３２】
諸実施態様において、前記ハウジング１０２は上部および下部１２６、１２８を含むことができ、これらの上部および下部１２６、１２８は、互いに位置合わせされると凹部が形成されるような形状を有する。図５に示したように、前記ハウジング１０２の前記下部１２８は前記上部１２６より幅広く延出し、前記ハウジング１０２の前記上部および下部１２６、１２８が位置合わせされると垂直平面内の凹部１３６Ａ、１３６Ｂが形成されるよう、垂直な部分を含むことができる。前記ハウジング受容構造１２４の前記突出部１３４Ａ、１３４Ｂは、前記ハウジング受容構造１２４および前記ハウジング１０２が位置合わせされると、垂直平面で前記ハウジング凹部１３６Ａ、１３６Ｂとかみ合うことができる。
【００３３】
前記ハウジング１０２の前記上部１２６は、側方平面内の凹部１３６Ｃ、１３６Ｄを含むよう成形できる。前記ハウジング受容構造１２４の前記突出部１３４Ｃ、１３４Ｄは、前記ハウジング受容構造１２４および前記ハウジング１０２が位置合わせされると、側方平面で前記ハウジング凹部１３６Ｃ、１３６Ｄとかみ合うことができる。
【００３４】
図５に示したように、前記ハウジング受容構造１２４の外面は、略曲線状の表面１３８を画成する。本開示の１若しくはそれ以上の実施態様において、前記曲線状の表面１３８は、各垂直突出部１３４Ａ、１３４Ｂと、それに対応する側方突出部１３４Ｃ、１３４Ｄとの間に一部延在する。
【００３５】
突出部および凹部には、種々の組み合わせが可能であることを理解すべきである。例えば、前記ハウジング１０２に突出部を含め、それと位置合わせするとかみ合う凹部を前記リストバンド１０４の前記ハウジング受容構造１２４に含めるようにすることもできる。前記ハウジング１０２および前記リストバンド１０４の各々に、位置合わせするとかみ合う突出部および凹部を含めるようにすることも可能である。
【００３６】
結論
以上、ハウジングを有するモジュールと、前記ハウジングを受容するよう構成されたハウジング受容構造を有するリストバンドとを連結する技術について、構造上の特徴および／または方法論的な作用に固有の表現で説明してきたが、添付の請求項は、上述した特定の特徴または作用に必ずしも限定されるものではないことを理解すべきである。むしろ、これら具体的な特徴または作用は、本明細書の特許請求の範囲に記載された装置および技術の実施形態例として開示するものである。
【図１】
0006495306.tif 000002
【図２】
0006495306.tif 000003
【図３】
0006495306.tif 000004
【図４】
0006495306.tif 000005
【図５】
0006495306.tif 000006
【図６】
0006495306.tif 000007
【図７】
0006495306.tif 000008
【図８】
0006495306.tif 000009